(57)【特許請求の範囲】
【請求項１】
細長い底板と、この底板の幅方向の両側に長手方向に沿って立設された対となる側板と、この対となる側板の長手方向の両端上部を互いに連結する接続用板部とを有する溝形床板ブロックが、建築物の床下に並べて配置され、側方に隣接する溝形床板ブロック同士が接続金具を介して互いに連結され、
各溝形床板ブロックの上部に、前記側板上方の開口部を覆う蓋板部材が設けられ、
前記蓋板部材は、前記溝形床板ブロックの側板の上部に長手方向に沿って設けられた蓋板部材受け用の鋼材に架け渡して設けられている床スラブ。
【請求項２】
細長い底板と、この底板の幅方向の両側に長手方向に沿って立設された対となる側板と、この対となる側板の長手方向の両端上部を互いに連結する接続用板部とを有する溝形床板ブロックが、建築物の床下に並べて配置され、側方に隣接する溝形床板ブロック同士が接続金具を介して互いに連結され、
各溝形床板ブロックの上部に、前記側板上方の開口部を覆う蓋板部材が設けられ、
前記蓋板部材は、前記溝形床板ブロックの側板の上部に設けられ、上方に突出した複数のボルト部材に架け渡して設けられている床スラブ。
【発明の詳細な説明】
【０００１】
【発明の属する技術分野】
本発明は、例えば鉄筋コンクリートからなり、プレキャストされて建築物の床下に配置される溝形床板ブロックを用いた床スラブに関する。
【０００２】
【従来の技術】
建築物の床下は、例えば、収納スペースや、電気配線及び各種配管の通路として用いられ、また、浴槽を埋設して水周りの段差を解消するために用いられている。
【０００３】
特に、近年、集合住宅においては、室内空間を使用者の希望に添うように配置する室内空間のフリープラン化が進んでおり、これは、高耐久性住宅の必須条件の一つになっている。このフリープラン化に代表されるように、高機能化、高品質化される建築物における付加価値的な要求は、床構造によって決まるといっても過言ではない。
【０００４】
従来の床スラブは、この床下に上下に隙間をあけて二重に配置され、いわゆる二重床を構成するものがある。床スラブの大きさは床上のスペースにより規制され、また、上段の床スラブには、床上スペースのレイアウトに応じて必要箇所に孔部が形成され、配線部や収納部として利用できるように設計され、施工されている。
【０００５】
【発明が解決しようとする課題】
前記従来の二重床は、建築物をスケルトン（構造）とインフィル（内装）に分けて設計及び施工しようとするものであり、床下部を配線や収納に自由に利用できるように柔軟に対応可能な構造を狙ったものである。しかしながら、建築物の形状により床スラブの形状や上段の床スラブに形成する孔部の位置等がそれぞれ異なるため、汎用の床スラブを予めプレキャスト製品として成型することが困難で、ほとんどが現場で施工している。このため、長い工期が必要になり、製造費用も増加している。
また、床スラブが平板状に形成されているため、強度を確保するために孔部の位置が制限される場合もある。
【０００６】
かかる強度上の問題を解決するため、本発明者は先に、梁材の内部を空洞化した断面ロ形の床板ブロックを考案した。この床板ブロックは、その上面、又は側面の任意の位置に孔部を形成しても所定の大きさ以上の曲げ剛性を保持できるため、強度を増加させながら軽量化を図ることができ、プレキャスト製品として製造できるので現場での施工が容易になるというものである。
【０００７】
しかしながら、この床板ブロックでは、インフィルの設計変更があった場合に、これに合わせて上面の孔部の位置を変更する必要が生じる。特に浴槽等の大型埋設物は、一旦設置した後の移動が困難である。
【０００８】
そこで本発明が解決しようとする課題は、室内空間をより効率よく利用でき、室内空間のさらに自由な設計が可能な溝形床板ブロックを用いた床スラブを提供することにある。
【０００９】
【課題を解決するための手段】
前記課題を解決するため、本発明の溝形床板ブロックは、底板と、この底板の両側に長手方向に沿って立設された対となる側板と、この対となる側板の長手方向の両端上部を互いに連結する接続用板部とを有する。
【００１０】
溝形床板ブロックは、例えば鉄筋コンクリートからなり、底板の両側に側板を連結しているので、底板単体の場合より曲げ剛性が大きくなり、強度が増加する。また、曲げ剛性が大きくなるので、製造時にプレストレスを与える必要がなくなる。さらに、接続用板部を有しているので、側方に引張力、又は圧縮力が加わっても、これに耐えることができ、所定の強度が確保される。また、底板およびその両側の側板を有して、上方に開口する空間部を形成しているので、天板をなくして軽量化が図られる。
【００１１】
空間部内を作業者が移動するときには、天板がないので、自由に移動することができる。すなわち、側板の高さを作業者の大きさに合わせて形成する必要がなくなり、所定の曲げ剛性が保持できれば任意の高さに設定することができる。
溝形床板ブロックの設置後には、空間部内での作業や、空間部への収納庫等の設置が行われる。
【００１２】
また、前記側板の側面に、１又は長手方向に沿って２以上の側開口部を形成することも可能である。
溝形床板ブロックの両端を支持したとき、側板には圧縮応力が加わる。この圧縮応力は、側板の上端で一番大きくなるので、側板の上端部を連結した状態で、側開口部を形成すると、強度を落とさずに軽量化を図ることができる。また、この側開口部を利用することで側方への配線や配管の引き回しが容易になる。
【００１３】
また、前記接続用板部のそれぞれ外側端部に、外側に突出する接続用金具を設けることも可能である。
接続用金具は、構築物に予め設けられた梁材に掛止することができ、また、後から成形される梁材の内部に埋設して一体的に接続することも可能である。
【００１４】
本発明の床スラブは、細長い底板と、この底板の幅方向の両側に長手方向に沿って立設された対となる側板と、この対となる側板の長手方向の両端上部を互いに連結する接続用板部とを有する溝形床板ブロックが、建築物の床下に並べて配置され、側方に隣接する溝形床板ブロック同士が接続金具を介して互いに連結されている。
【００１５】
底板及び側板を有しているので、溝形床板ブロックの長手方向に加わる圧縮力、又は引張力に対する耐力が大きくなる。また、曲がりが少なくなり、全体を精度良く平面状に形成することができる。さらに、接続用板部が設けられているので、断面をロ形に形成でき、溝形床板ブロックの幅方向に圧縮力や引張力が加わった場合には、床板及び接続用板部でこれを受けることができ、上端部と下端部の変形量を同程度に調整して、床スラブ全体の変形も小さくなる。
【００１６】
また、各溝形床板ブロックの上部に、前記側板上方の開口部を覆う蓋板部材を設けることも可能である。
蓋板部材には、例えばコンクリート製のものの他に軽量部材を用いることも可能である。かかる構成によって、強度以外に遮音性等が向上する。
【００１７】
さらに、前記蓋板部材を、前記溝形床板ブロックの側板の上部に長手方向に沿って設けられた蓋板部材受け用の鋼材に架け渡して設けることも可能である。
複数の鋼材によって、側板の高さを調整して空間部の高さを調整することができる。なお、浴槽等の大型部材を埋設する部分は、鋼材をなくしてこれを配置することができる。かかる構成によって、溝形床板ブロックの一部を切り欠いたりせずに浴槽等の大型部材の配置位置を自由に設定することができ、また、床部の高さを自由に設定することができる。
【００１８】
また、前記蓋板部材を、前記溝形床板ブロックの側板の上部に設けられ、上方に突出した複数のボルト部材に架け渡して設けることも可能である。
かかる構成によって、溝形床板ブロックを軽量化することができる。
【００１９】
【発明の実施の形態】
以下、本発明の一実施の形態について説明する。
図１は本発明の一実施の形態に係る床スラブの斜視図、図２（Ａ）は同床スラブの中間部分の部分正断面図、（Ｂ）は同床スラブの側開口部を含む部分正断面図、（Ｃ）は同床スラブの端部の部分正断面図、図３は同床スラブの側断面図、図４は同床スラブを構成する溝形床板ブロックの平面図、図５（Ａ）は同溝形床板ブロックの接続状態を示す部分平面図、（Ｂ）は同溝形床板ブロックの接続状態を示す部分側面図、（Ｃ）は同溝形床板ブロックの端部の部分斜視図を示す。
【００２０】
図１に示すように本発明の実施の形態における床スラブ１は、建築物の床部を構成する厚みのある板状の部材で、前後に長く形成された溝形床板ブロック２を、それぞれ側方に隣接する他の溝形床板ブロック２に連結し、上部に鋼材の一例であるＨ形鋼からなるスペーサ部材５を介して蓋板部材６を設けたものである。
隣接する溝形床板ブロック２同士の接続は、図２（Ａ）、（Ｃ）に示すようにボルト１１、ナット１２及び当て板１３からなる接続金具４を介して行っている。
【００２１】
まず、溝形床板ブロック２について説明する。
鉄筋コンクリートからなる溝形床板ブロック２は、細長い矩形の底板７と、底板７の両側に長手方向に沿って立設する側板８と、対となる側板８の両端部を連結した接続用板部９とを有している。
底板７、側板８及び接続用板部９の厚みは、例えば１００ｍｍで、溝形床板ブロック２の外径は、例えば幅１０００ｍｍ、長さ８０００ｍｍ、高さ４００ｍｍに形成されている。接続用板部９の長さは、例えば１０００ｍｍに形成され、両側の側板８の間に挟まれた部分に形成され上方に開口した空間部１０の開口寸法は、幅８００ｍｍ、長さ６０００ｍｍに形成されている。
溝形床板ブロック２は、底板７の両側に長手方向に沿って側板８が設けられているので、曲げ剛性が大きくなり、プレストレスなしで長スパンが可能になる。
【００２２】
図３に示すように、側板８には、例えば高さ２００ｍｍ、長さ３００ｍｍの側開口部１４が長手方向に沿って例えば１０００ｍｍおきに形成されている。側開口部１４の下端レベルは、底板７の上面レベルに一致している。
【００２３】
図５に示すように、両側の接続用板部９のそれぞれ外側端部には固定板１６が配置され、外側に突出する接続用金具の一例であるボルト部材１５が、固定板１６に螺合されると共に、外側端部内に埋設されている。
また、底板７の長手方向の両外側端部にも、同様に固定板１６ａが配置され、ボルト部材１５ａが固定板１６ａを介して固定されている。
【００２４】
ボルト部材１５，１５ａの頭部は、接続される梁材１７内に埋設され、梁材１７に一体的に固化される。なお、ボルト部材１５，１５ａの頭部には、図示しない板状、又は棒状の金具を取り付けることができ、この金具により梁材１７への連結をさらに強固にすることができる。
【００２５】
また、ボルト部材１５，１５ａが掛止可能な掛合部を形成した梁材をプレキャストにより製造することも可能である。かかる構成によって乾式接合が可能になり、組立を省力化して迅速に行い、工期を短縮することができる。
なお、底板７に設けたボルト部材１５ａは省略することができ、これにより溝形床板ブロック２に無理な力が加わらなくなる。
【００２６】
溝形床板ブロック２の空間部１０内は、８００ｍｍの幅があるので、作業者はこの中を自由に移動して作業を行うことができる。空間部１０内には、図示しない配管や配線を長手方向に配置することができ、また、側開口部１４内を通過させて側方に配置することも可能である。
【００２７】
次に、スペーサ部材５について説明する。
スペーサ部材５は、隣接する溝形床板ブロック２の側板８の上部に長手方向に沿って設けられている。スペーサ部材５は、両フランジ部を上下にそれぞれ配置し、高さ方向に配置されるウェブ幅を２００ｍｍに、長さを１ｍに形成している。各スペーサ部材５は、ボルト等で乾式接合することによって、側板８の上端部に固定されている。
【００２８】
次に、蓋板部材６について説明する。
蓋板部材６は、幅及び厚みを溝形床板ブロック２と同じ大きさに形成し、長さを例えば５００ｍｍまたは１０００ｍｍに形成した矩形板状の部材である。各蓋板部材６は、幅方向両側のスペーサ部材５に架け渡して設けられ、各溝形床板ブロック２の空間部１０を覆い、また、接続用板部９の上方に隙間をあけて配置される。蓋板部材６はボルト等で乾式接合することによって、スペーサ部材５の上端部に固定されている。
蓋板部材６は、例えばコンクリート製にして遮音性能を高めることができ、また、軽量床材を使用してさらに軽量化することも可能である。
【００２９】
図１に示すように、溝形床板ブロック２の所定部分にＨ形鋼からなるスペーサ部材５の替わりに溝形鋼からなるスペーサ部材１８を設けると、蓋板部材６を溝形床板ブロック２の側板８の上端部に直接配置することが可能となる。かかる構成によって、所定位置の蓋板部材６の高さを通常の状態より例えば２００ｍｍ低くすることができる。
蓋板部材６を通常高さに設けた場合には空間部１０を床下収納として広く利用でき、また、浴槽等の水廻りの部材を自由に配置でき、さらに室内に段差を自由に設けることができる。また、前述したように、スペーサ部材１８を用いることによって、居間等の床を一段下げて居住空間を大きくすることも可能である。
【００３０】
次に、本発明の他の実施の形態に係る溝形床板ブロックについて説明する。
図６（Ａ）は本発明の他実施の形態に係る溝形床板ブロックの平面図、（Ｂ）は同溝形床板ブロックの側面図、図７（Ａ）は同溝形床板ブロックに蓋板部材を設けた状態を示す側断面図、（Ｂ）は同溝形床板ブロックに蓋板部材を設けた状態を示す正断面図、図８（Ａ）は同溝形床板ブロックの接続状態を示す部分平断面図、（Ｂ）は同溝形床板ブロックの接続状態を示す部分側断面図、（Ｃ）は同溝形床板ブロックの接続状態を示す部分平断面図、（Ｄ）は同溝形床板ブロックの接続状態を示す部分側断面図を示す。
【００３１】
図６に示すように、他の実施の形態に係る溝形床板ブロック２０の側板２１，２２のそれぞれ両端部は、例えば高さ７００ｍｍに形成され、これを連結する接続用板部２３，２４の高さは、中間部の高さ４００ｍｍより高く形成されている。また、接続用板部２３，２４の外側端部には、外側に徐々に拡径する台形状の掛合板部２５がそれぞれ形成されている。そして、側板２１，２２の中間部の上端には、埋込みナット２６が所定間隔おきに設けられている。
【００３２】
図７に示すように、埋込みナット２６には、ボルト２７が螺合している。そして、蓋板部材３０は、ボルト２７に螺合する調整ナット２８，２９によって、側板２１，２２の上方位置であって、接続用板部２３，２４と同じレベルに配置されて固定されている。
蓋板部材３０と側板２１，２２との間には、隙間が形成されているので、側板部材２１，２２に側開口部を形成しなくてもケーブルや配管を通すことができる。
また、側板２１，２２と接続用板部２３，２４が同じレベルに配置されているので、接続用板部２３，２４と蓋板部材６とを二重に配置しなくてもよくなり、さらなる軽量化を図ることができる。
【００３３】
図８（Ａ）、（Ｂ）に示すように、溝形床板ブロック２０を梁材３１に固着させるときには、底板３２及び接続用板部２３に埋設した接続用金具の一例である埋込みナット３３，３４に、ボルト部材３５，３６を螺合させ、さらにボルト部材３５の先部に形成されたリング状部に嵌入した別のボルト部材３７を取り付ける。そして、ボルト部材３５〜３７を図示しない鉄筋で接続し、これらを囲む型枠にコンクリートを流し込んで固化させることにより梁材３１を形成する。
【００３４】
図８（Ｃ）、（Ｄ）に示すように、溝形床板ブロック２０を梁材３８の両側に取り付ける場合には、対向配置された溝形床板ブロック２０の埋込みナット３３，３４にそれぞれ螺合したボルト部材３９，４０の先端部をカプラ４１で連結した後、前述したのと同様の手順により梁材３８を形成する。
かかる構成によって、確実な固定を行うことができる。
【００３５】
【発明の効果】
本発明によれば次の効果を奏する。
（１）底板の両側に側板を連結しているので、底板単体の場合より曲げ剛性が大きくなり、強度が増加し、また、曲げ剛性が大きくなるので、製造時にプレストレスを与える必要がなくなる。
（２）接続用板部を有しているので、側方に引張力、又は圧縮力が加わっても、これに耐えることができ、所定の強度が確保される。
（３）上方に開口する空間部を形成しているので、天板をなくして軽量化が図られ、また、空間部内を作業者が移動するときには、天板がないので、自由に移動することができると共に、側板の高さを作業者の大きさに合わせて形成する必要がなくなり、所定の曲げ剛性が保持できれば任意の高さに設定することができる。
（４）側板に、側開口部を形成しているので、強度を落とさずに軽量化を図ることができ、また、側方への配線や配管の引き回しが容易になる。
（５）接続用板部に接続用金具を設けたので、構築物に予め設けられた梁材に掛止して組立作業を簡略化して工期を短縮することができ、また、後から成形される梁材の内部に埋設して一体的に接続し、接続強度を増加することも可能である。
（６）床スラブは、溝形床板ブロックを、それぞれ側方に隣接する他の溝形床板ブロックに接続金具を介して連結したので、長手方向に加わる圧縮力、又は引張力に対する耐力が大きくなり、また、曲がりが少なくなり、全体を精度良く平面状に形成することができる。
（７）接続用板部が設けられているので、断面をロ形に形成でき、溝形床板ブロックの幅方向に圧縮力や引張力が加わった場合には、床板及び接続用板部でこれを受けることができ、上端部と下端部の変形量を同程度に調整して、床スラブ全体の変形も小さくできる。
（８）各溝形床板ブロックの上部に、複数の蓋板部材を設けるので、強度以外にも遮音性等が向上する。
（９）蓋板部材を複数の鋼材に架け渡して設けるので、側板の高さを調整して空間部の高さを調整することができ、また、浴槽等の大型部材の配置位置を自由に設定することができ、また、床部の高さを自由に設定することができる。
（１０）蓋板部材をボルト部材に架け渡して設けるので、側板の上側にケーブルや配管を通すことができる。
【図面の簡単な説明】
【図１】  本発明の一実施の形態に係る床スラブの斜視図である。
【図２】  （Ａ）は同床スラブの中間部分の部分正断面図、（Ｂ）は同床スラブの側開口部を含む部分正断面図、（Ｃ）は同床スラブの端部の部分正断面図である。
【図３】  同床スラブの側断面図である。
【図４】  同床スラブを構成する溝形床板ブロックの平面図である。
【図５】  （Ａ）は同溝形床板ブロックの接続状態を示す部分平面図、（Ｂ）は同溝形床板ブロックの接続状態を示す部分側面図、（Ｃ）は同溝形床板ブロックの端部の部分斜視図である。
【図６】  （Ａ）は本発明の他実施の形態に係る溝形床板ブロックの平面図、（Ｂ）は同溝形床板ブロックの側面図である。
【図７】  （Ａ）は同溝形床板ブロックに蓋板部材を設けた状態を示す側断面図、（Ｂ）は同溝形床板ブロックに蓋板部材を設けた状態を示す正断面図である。
【図８】  （Ａ）は同溝形床板ブロックの接続状態を示す部分平断面図、（Ｂ）は同溝形床板ブロックの接続状態を示す部分側断面図、（Ｃ）は同溝形床板ブロックの接続状態を示す部分平断面図、（Ｄ）は同溝形床板ブロックの接続状態を示す部分側断面図である。
【符号の説明】
１  床スラブ
２  溝形床板ブロック
４  接続金具
５  スペーサ部材（鋼材）
６  蓋板部材
７  底板
８  側板
９  接続用板部
１０  空間部
１１  ボルト
１２  ナット
１３  当て板
１４  側開口部
１５，１５ａ  ボルト部材（接続用金具）
１６，１６ａ  固定板
１７  梁材
１８  スペーサ部材
２０  溝形床板ブロック
２１，２２  側板
２３，２４  接続用板部
２５  掛合板部
２６  埋込みナット
２７  ボルト
２８，２９  調整ナット
３０  蓋板部材
３１  梁材
３２  底板
３３，３４  埋込みナット
３５，３６，３７  ボルト部材
３８  梁材
３９，４０  ボルト部材
４１  カプラ
【図１】
0003693610.tif 000002
【図２】
0003693610.tif 000003
【図３】
0003693610.tif 000004
【図４】
0003693610.tif 000005
【図５】
0003693610.tif 000006
【図６】
0003693610.tif 000007
【図７】
0003693610.tif 000008
【図８】
0003693610.tif 000009